(57)【要約】【課題】  本発明は、簡単な構成により、小型の光源を使用して広い範囲に線状の照射パターンを形成するようにした照明装置を提供することを目的とする。【解決手段】  光源と、所定の設計断面を光源と反対側に突出する弧状に掃引することにより得られる形状の少なくとも一部から成るレンズと、上記光源とレンズとの間に、レンズの掃引方向とほぼ平行に延びるように配置された長い開口を備えた遮蔽部材を含むように、照明装置１０を構成する。【選択図】        図１
2008177964.tif 000002
【特許請求の範囲】
【請求項１】
光源と、所定の設計断面を光源と反対側に突出する弧状に掃引することにより得られる形状の少なくとも一部から成るレンズと、を含んでいることを特徴とする、照明装置。
【請求項２】
上記レンズの設計断面が、片面または両面にて球面または非球面となる形状を有していることを特徴とする、請求項１に記載の照明装置。
【請求項３】
上記光源とレンズとの間に、レンズの掃引方向とほぼ平行に延びる長い開口を備えた遮蔽部材が配置されていることを特徴とする、請求項１または２に記載の照明装置。
【請求項４】
上記遮蔽部材が、レンズの掃引軌跡に対してほぼ相似の断面を有することを特徴とする、請求項１から３の何れかに記載の照明装置。
【請求項５】
上記開口が長方形であることを特徴とする、請求項３または４に記載の照明装置。
【請求項６】
上記開口が台形であることを特徴とする、請求項３または４に記載の照明装置。
【請求項７】
上記開口が、長手方向の端縁に向かって幅が徐々に狭くなるように形成されていることを特徴とする、請求項３または４に記載の照明装置。
【請求項８】
上記開口が、上記レンズの掃引軌跡を含む面に対して、非対称に形成されていることを特徴とする、請求項３または４に記載の照明装置。
【請求項９】
上記光源，遮光部材及びレンズを互いに固定保持するハウジングを備えていることを特徴とする、請求項１から８の何れかに記載の照明装置。
【請求項１０】
上記レンズの長手方向の両端部の少なくとも一方が、ハウジングに対してボルトにより固定されていることを特徴とする、請求項９に記載の照明装置。
【請求項１１】
上記レンズの長手方向の両端部の少なくとも一方が、逆棘形状のフックを備えており、このフックがハウジングに設けられた固定用孔に係合することにより、ハウジングに対して固定されていることを特徴とする、請求項９または１０に記載の照明装置。
【請求項１２】
上記レンズの長手方向の両端部の少なくとも一方が、ハウジング表面に当接するフランジ部を備えていることを特徴とする、請求項９から１１の何れかに記載の照明装置。
【発明の詳細な説明】
【技術分野】
【０００１】
本発明は、線状の照明を行なうための照明装置に関する。
【背景技術】
【０００２】
従来、例えばスキャナ等の光源としては、所謂線状光源装置が使用されており、このような線状光源装置としては、例えば特許文献１に示す照明装置が知られている。
この特許文献１による照明装置は、図１１に示すように構成されている。
【０００３】
即ち、図１１において、照明装置１は、光を照射する光源２と、光源２から照射される光を集光する集光手段３と、集光手段３により集光された光を細長い形状に成形する光束整形手段４と、光束整形手段４により整形された細長い形状の光を投射対象物５に対して投射する投光手段６と、から構成されている。
【０００４】
上記光源２は、長手方向（紙面垂直方向）に延びる線状の光源である。
上記集光手段３は、図示の場合、長手方向に沿って延び、光源２を光出射方向後方（紙面左方）から包囲するように湾曲した曲面反射鏡として構成されている。
これにより、光源２から上記集光手段３に入射した光は、この集光手段によって光照射方向前方（紙面右方）に向かってほぼ平行な光を反射する。
【０００５】
上記光束整形手段４は、図示の場合、長手方向に延びるスリット４ａを備えた板状の遮光部材から構成されており、光源２及び集光手段３からの光を光照射方向前方に向かって透過させるようになっている。
上記投光手段６は、長手方向に延びるシリンドリカルレンズであって、スリット４ａを透過した光を集束して、光照射方向の前方にて所定距離に配置された投射対象物５に対して結像させるようになっている。
【０００６】
このような構成の照明装置１によれば、上記光源２から出射した光は、その一部が直接に、また他の一部が集光手段３により反射・集光された後に、光束整形手段４のスリット４ａを通過し、さらに投光手段６により集光されて、所定距離だけ前方に位置する投影対象物５上に集束する。
これにより、スリット４ａの明るく細長い形状が、投光手段６により上記投影対象物５の表面に投影され、線状に照明されることになる。
【特許文献１】特開平１１−０６４７８４号
【発明の開示】
【発明が解決しようとする課題】
【０００７】
ところで、上記特許文献１の目的は、歪みのない平行光を照射することにあるが、投光手段６であるシリンドリカルレンズにより所望の方向への照射光を制御できるのは、図１２（Ａ）に示すように、シリンドリカルレンズ６に対して、その設計面である縦断面を通るような光、即ちシリンドリカルレンズの軸に対して垂直に入射する光Ｌ１のみである。
このような垂直光Ｌ１が、シリンドリカルレンズ即ち投光手段６に入射したとき、図１２（Ｂ）に示すように、シリンドリカルレンズ内における光路長はシリンドリカルレンズの厚さｔと同じになり、設計通りに、くっきりとした照射パターンが得られることになる。
この場合、照射パターンにおける長手方向に垂直な方向の輝度分布は、図１２（Ｃ）に示すように、方形となり、照射パターンがほぼ一定の輝度を有している。
【０００８】
これに対して、図１３（Ａ）に示すように、シリンドリカルレンズに対して、斜めに光が入射すると、この斜め光Ｌ２のシリンドリカルレンズ内における光路長は、その厚さｔより長いｔ’となり、設計値からずれることになる。このため、前述した投影対象物５の表面に結像しなくなる。
【０００９】
従って、このような斜め光Ｌ２が、シリンドリカルレンズ即ち投光手段６に入射したとき、図１３（Ｂ）に示すように、長手方向の両側縁がぼやけた照射パターンが得られることになる。
この場合、照射パターンにおける長手方向に垂直な方向の輝度分布は、図１３（Ｃ）に示すように、なだらかな山型となり、照射パターンが歪んでしまうことになる。
【００１０】
実際には、図１４に示すように、線状の光源２の各部からの光が、シリンドリカルレンズ６の長手方向に放射状に出射することから、目的とする平行な照射光を保持することができない。このため、照射パターンは、図１５（Ａ）に示すように、シリンドリカルレンズ６の両端付近にて、照射パターンが幅方向に大きくぼけることになり、図１５（Ｂ）に示すように、輝度が低下することになる。
【００１１】
また、図１６にて矢印で示すように、シリンドリカルレンズ６に対して、左右方向の入射角度が大きい斜め入射光Ｌ３の場合、入射角度がある角度を超えると、シリンドリカルレンズ６の入射面または出射面にて臨界角を超えることになって、入射面外面または出射面内面にて全反射することになる。このため、図１７（Ａ）に示すように、シリンドリカルレンズ６の両端付近にて、照射パターンが形成されなくなると共に、図１７（Ｂ）に示すように、輝度が大きく低下してしまうことから、照射パターンの長手方向に関して大きさに限界がある。
【００１２】
これに対して、上述した照明装置１においては、例えば図１８に示すように、線状でない光源、例えば点光源（スリット）４ｂを使用した場合には、入射角度が大きくなるにつれて、図１９（Ａ）に示すように、照射パターンのボケが大きくなって、幅が広くなる。また、入射角度が大きい領域では、図１９（Ｂ）に示すように、急激に輝度が低下してしまい、正しく照射パターンを形成することができなくなってしまう。
【００１３】
これに対して、光源として線状光源を使用する場合には、上述した垂直入射光を得るためには、線状光源を、投影対象物とほぼ同じ長さに構成する必要があり、線状光源が大型化してしまうことから、コストが高くなってしまう。
【００１４】
本発明は、以上の点から、簡単な構成により、小型の光源を使用して広い範囲に線状の照射パターンを形成するようにした照明装置を提供することを目的としている。
【課題を解決するための手段】
【００１５】
上記目的は、本発明によれば、光源と、所定の設計断面を光源と反対側に突出する弧状に掃引することにより得られる形状の少なくとも一部から成るレンズと、を含んでいることを特徴とする、照明装置により、達成される。
【００１６】
本発明による照明装置は、好ましくは、上記レンズの設計断面が、片面または両面にて球面または非球面となる形状を有している。
【００１７】
本発明による照明装置は、好ましくは、上記光源とレンズとの間に、レンズの掃引方向とほぼ平行に延びる長い開口を備えた遮蔽部材が配置されている。
【００１８】
本発明による照明装置は、好ましくは、上記遮蔽部材が、レンズの掃引軌跡に対してほぼ相似の断面を有する。
本発明による照明装置の遮蔽部材の開口は、より鮮明な照射パターンを得るには小さい寸法設定とされることが好ましい。
【００１９】
本発明による照明装置は、好ましくは、上記開口が長方形または台形である。
【００２０】
本発明による照明装置は、好ましくは、上記開口が、長手方向の端縁に向かって幅が徐々に狭くなるように形成されている。
【００２１】
本発明による照明装置は、好ましくは、上記開口が、上記レンズの掃引軌跡を含む面に対して、非対称に形成されている。
本発明による照明装置は、例えば上記開口の長手方向寸法を短縮するなど、光束のレンズ面入射において光路長が異なる光成分が少なくなるような構成上の考慮を行うことが好ましい。
【００２２】
本発明による照明装置は、好ましくは、上記光源，遮光部材及びレンズを互いに固定保持するハウジングを備えている。
【００２３】
本発明による照明装置は、好ましくは、上記レンズの長手方向の両端部の少なくとも一方が、ハウジングに対してボルトにより固定されている。
【００２４】
本発明による照明装置は、好ましくは、上記レンズの長手方向の両端部の少なくとも一方が、逆棘形状のフックを備えており、このフックがハウジングに設けられた固定用孔に係合することにより、ハウジングに対して固定されている。
【００２５】
本発明による照明装置は、好ましくは、上記レンズの長手方向の両端部の少なくとも一方が、ハウジング表面に当接するフランジ部を備えている。
【発明の効果】
【００２６】
上記構成によれば、レンズの長手方向に沿う断面が上方に凸の弧状であり、光源から斜めに入射する光が、レンズの集光作用により結合する際の焦点ずれが大幅に低減される。これにより、照射パターンのボケや広がり等の歪みが大幅に低減され得て、所望の照射パターンが形成され得ることになる。
【００２７】
また、光源から斜めにレンズに入射する光の入射角が臨界角より小さくされ得ることにより、レンズ外面での全反射が抑制され得、レンズ内を透過した後、レンズ外に出射する際に出射面にて入射角が臨界角より小さくされ得ることにより、レンズ内面での全反射が抑制され得る。
従って、レンズからの光の取出し効率が向上し、レンズの両端付近の領域に対応して、比較的高い輝度で照射パターンが形成され得ることになり、全体としてより長い照射パターンが得られることになる。
これにより、光源が点光源あるいはレンズの長手方向の長さより短い線状光源であっても、レンズを介して、レンズのほぼ全長に亘って延びる細長い照射パターンが形成され得ることになる。
【００２８】
上記レンズの設計断面が、片面または両面にて球面または非球面となる形状を有している場合には、レンズの長手方向に垂直な幅方向に関して、凸状となり、光源からの光を集束させることになる。
【００２９】
上記光源とレンズとの間に、レンズの掃引方向とほぼ平行に延びる長い開口を備えた遮蔽部材が配置されている場合には、この遮蔽部材の開口が、レンズにより投影対象物等に対して投影されることになる。
【００３０】
上記遮蔽部材がレンズの掃引軌跡に対してほぼ相似の断面を有する場合には、遮蔽部材の開口が、各部にてそれぞれレンズに対してほぼ同じ距離に配置されることになり、開口がレンズにより投影される。これにより、正しい照射パターンが形成され得ることになる。
【００３１】
上記開口が長方形，台形である場合には、この開口がレンズにより投影される。これにより、長方形または台形の照射パターンが形成されることになる。
【００３２】
上記開口が、長手方向の端縁に向かって幅が徐々に狭くなるように形成されている場合には、開口が両端付近にて絞り込まれていることによって、両端付近で幅が広くなりがちな照射パターンが、両端付近においても実質的に同じ幅で形成され得ることになる。
【００３３】
上記開口が、上記レンズの掃引軌跡を含む面に対して、非対称に形成されている場合には、例えば車両前照灯におけるカットオフのように、一側のみに照射パターンを形成することが可能である。
【００３４】
上記光源，遮光部材及びレンズを互いに固定保持するハウジングを備えている場合には、これらの光源，遮光部材及びレンズがハウジング内に収容され得る。これにより、埃，ゴミ等から保護され得て、光源からの光が外部の不要な方向に関して洩れないように構成され得る。
【００３５】
上記レンズの長手方向の両端部の少なくとも一方が、ハウジングに対してボルトにより固定され、または逆棘形状のフックを備えており、このフックがハウジングに設けられた固定用孔に係合することにより、ハウジングに対して固定されている場合には、レンズがハウジングに対して、ボルト締めまたはフック係合により、容易に且つ確実に固定保持され得ることになる。
【００３６】
上記レンズの長手方向の両端部の少なくとも一方が、ハウジング表面に当接するフランジ部を備えている場合には、レンズがハウジング表面に対して確実に位置決めされ、保持され得る。また、このフランジ部がハウジングに対して螺合，係合等により、容易に且つ確実に固定保持され得ることになる。
【００３７】
このようにして、本発明によれば、簡単な構成により、小型の光源を使用して広い範囲に線状の照射パターンを形成するようにした照明装置が提供されることになる。
【発明を実施するための最良の形態】
【００３８】
以下、この発明の好適な実施形態を図１から図１０を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００３９】
［実施例１］  図１から図３は、本発明を適用した照明装置の第一の実施形態の構成を示している。
図１から図３において、照明装置１０は、ハウジング１１と、光源１２と、遮光部材１３と、レンズ１４と、から構成されている。
【００４０】
上記ハウジング１１は、不透光性材料からほぼ直方体状に構成されており、上方が開放したほぼ直方体状の中空部１１ａを有している。
【００４１】
上記光源１２は、ハウジング１１の中空部１１ａ内にて、プリント基板１２ａ上に実装された少なくとも一個（図示の場合、三個）の発光素子、例えばＬＥＤ１２ｂから構成されている。
ここで、上記光源１２を構成する各ＬＥＤ１２ｂは、上記ハウジング１１の中空部１１ａの中央付近にて、長手方向（図２にて横方向）に沿って一列に並んで配置されている。
上記プリント基板１２ａは、ハウジング１１の中空部１１ａの底部に対して接着等により固定保持されている。
【００４２】
上記遮光部材１３は、板状の不透光性材料から構成されており、ハウジング１１の中空部１１ａの開放端を閉鎖するように、ハウジング１１の上端に取り付けられている。
さらに、上記遮光部材１３は、その中心付近に、長手方向に沿って延びる細長い長方形または台形の形状を有する開口としてのスリット１３ａを備えている。  このスリット１３ａは、図示の場合、前述した光源１２の各ＬＥＤ１２ａの直上に位置しており、その長さは、各ＬＥＤ１２ａの配列長さに対応している。
本実施例においては、スリット幅１ｍｍ、スリット長さ１４ｍｍを採用した。  なおまた、本実施例におけるハウジング１１の幅は４０ｍｍで、長さは６０ｍｍとした。
【００４３】
上記レンズ１４は、図５の縦断面図に示すように、下面が平坦で且つ上面が球面または非球面により凸状に形成された片面シリンドリカルレンズとして形成されている。また、図４の横断面図に示すように、長手方向に関して上方に向かって凸の弧状に湾曲して形成されている。この凸の弧状レンズ幅は、本実施例においては２０ｍｍで、弧状の直径を約４４ｍｍとした。
上記レンズ１４は、図５の断面図における三日月状の断面形状を、図４に示すように、弧状に掃引した形状を有している。
ここで、この弧状の掃引曲線は、好ましくは、円弧状または非球面近似式で表わされる。
【００４４】
上記レンズ１４は、図５において、その下方の焦点位置が、上記遮光部材１３のスリット１３ａ付近に位置している。
これにより、上記レンズ１４によりスリット１３ａの形状が投影されることによって、鮮明な照射パターンが形成されるようになっている。
【００４５】
さらに、上記レンズ１４は、その下方に湾曲した両端が、それぞれ上記ハウジング１１の長手方向の両端に対して、上記遮光部材１３を介して固定保持されるようになっている。
これにより、上記ハウジング１１により、光源１２，遮光部材１３及びレンズ１４が互いに固定保持され得ることになる。
【００４６】
上記レンズ１４は、図６（Ａ）の左側に示すように、その少なくとも一端から外側に突出したフランジ部１４ａが、上記遮光部材１３に対して、下方から固定ネジ１５ａにより、あるいは上方から固定ネジ１５ｂにより、螺着され、もしくは図６（Ａ）の右側に示すように、その少なくとも一端に直接に設けられた逆棘形状のフック１４ｂが、上記遮光部材１３に設けられた係合孔１３ｂに係合することによって、固定される。
これに対して、上記レンズ１４は、図６（Ｂ）の左側に示すように、その両端の下面に対して、下方から固定ネジ１５ｃにより螺着されてもよい。
【００４７】
本発明実施形態による照明装置１０は、以上のように構成されており、以下のように動作する。
即ち、上記光源１２の各ＬＥＤ１２ｂが駆動され発光する。各ＬＥＤ１２ｂから出射した光は、上記遮光部材１３のスリット１３ａを通過した後、上記レンズ１４に入射し、このレンズ１４の光学作用により幅方向に関して集束され、外部に出射する。
これにより、上記レンズ１４により、上記スリット１３ａの像が投影されることになり、照射パターンが形成されることになる。
【００４８】
この場合、各ＬＥＤ１２ｂから上記スリット１３ａを介して長手方向に関して放射状に出射する光は、図７（Ａ）に示すように、上記レンズ１４の下側の面に入射する際に、この面が上方に向かって凸状に湾曲しており、そのため入射角が小さくなる。
これにより、上記レンズ１４を透過する光は、このレンズ１４内の光路長が大きく異なることがなく、ほぼ設計条件でレンズ１４を透過する。これにより、投影対象物（図示せず）の表面に確実に結像することになる。
従って、図７（Ｂ）に示すように、長手方向の両側縁付近にて、照射光が幅方向に拡散してしまうようなことがなく、幅方向に関してぼやけた照射パターンが形成されず、くっきりした照射パターンが得られることになる。
【００４９】
また、上記レンズ１４への入射角が比較的小さいことから、長手方向の両端付近にて、上記光源１２の各ＬＥＤ１２ｂから斜めにレンズ１４に入射した光が、このレンズ１４の内側の外面および外側の内面で、臨界角より小さい入射角で入射する。このため、この外面および内面で全反射してしまうようなことがない。  従って、前述したように、照射パターンの長手方向両端付近での拡散が抑制されることと相まって、上記レンズ１４から外部への光の取出し効率が向上する。これにより、図７（Ｃ）に示すように、照射パターンの輝度が比較的広い角度範囲にて比較的高く保持され得ることになる。
【００５０】
［実施例２］
図８は、本発明による照明装置の第二の実施形態の構成による照射状態を示している。
この第二の実施形態においては、照明装置は、図１から図３に示した照明装置と同様の構成であるが、光源１１の代わりに、点状の光源２１、例えばただ一つのＬＥＤから成る光源が備えられている点でのみ異なる構成になっている。
【００５１】
この構成によれば、図８（Ａ）に示すように、上記光源２１から放射状に出射した光は、いずれの方向の光も、上記レンズ１４の内面に対してほぼ垂直に、即ち入射角がほぼゼロで入射することになる。
従って、殆どすべての光が、上記レンズ１４に対して設計条件で透過し、光学作用を受けることになる。このため、図８（Ｂ）に示すように、所望の照射パターンが形成され得ることになる。
これにより、図８（Ｃ）に示すように、長手方向に関して広い角度範囲で、比較的高い輝度が得られることになる。
【００５２】
［実施例３］
図９は、本発明による照明装置の第三の実施形態における遮光部材の構成例を示している。
この第三の実施形態において、照明装置は、図１から図３に示した照明装置と同様の構成であるが、遮光部材１２の代わりに、遮光部材３１が備えられている点でのみ異なる構成になっている。
この遮光部材３１は、その中心付近に設けられた長手方向に延びるスリット３１ａが、両端に向かって徐々に幅が狭くなるように形成されている。
【００５３】
このような構成の照明装置によれば、図１から図３に示した照明装置と同様に作用し、上記遮光部材３１のスリット３１ａが両端付近にて幅方向に絞られている。これにより、光源１１に対するスリット３１ａの見込み角が均一化され得ることになる。
従って、照射パターンの両端付近における拡散がより確実に抑制されることになり、より一層歪みの少ない照射パターンが得られることになる。
【００５４】
［実施例４］
図１０は、本発明による照明装置の第四の実施形態における遮光部材の構成例を示している。
この第四の実施形態において、照明装置は、図１から図３に示した照明装置と同様の構成であるが、遮光部材１２の代わりに、遮光部材４１が備えられている点でのみ異なる構成になっている。
この遮光部材４１は、その中心付近に設けられたスリット４１ａが、長手方向の中心線から一側に広がるように、長手方向の中心線に対して非対称に形成されている。
【００５５】
このような構成の照明装置によれば、図１から図３に示した照明装置と同様に作用し、上記遮光部材４１のスリット４１ａが長手方向の中心線から一側に広がるように形成されている。このため、このスリット４１ａの側縁が照射パターンに対してカットオフラインを形成することになる。
従って、カットオフラインを有する照明装置、例えばすれ違いビーム用車両前照灯として最適な照明装置が実現され得ることになる。
【産業上の利用可能性】
【００５６】
上述した実施形態においては、光源１１は、複数個の一列に並んだＬＥＤから構成されているが、一個のＬＥＤから構成されていてもよく、また他の発光素子等の点状光源から構成されていてもよい。
また、上述した実施形態においては、光源１１は、発光素子としてＬＥＤから構成されているが、これに限らず、他の発光素子であるフィラメント電球や、線状光源としての冷陰極管や熱陰極管等が使用されてもよい。
【００５７】
さらに、上述した実施形態においては、複数個のＬＥＤが一列に並んで線状光源を構成しているが、これに限らず、照射パターンの輝度の強弱分布や照射位置を調整するために、個々のＬＥＤ等の点状光源を互いに長手方向または幅方向にずらして配置することも可能である。
【００５８】
また、上述した実施形態においては、上記レンズ１４は、その断面形状が片面シリンドリカルレンズと同様に形成されているが、これに限らず、両面シリンドリカルレンズと同様に形成されていてもよい。
その際、レンズの断面形状は、円弧（球面レンズの断面形状）だけでなく、非球面レンズの断面形状と同様に形成されていてもよく、また二次曲線として形成されていてもよい。
【００５９】
さらに、上述した実施形態においては、単に照明装置１０について説明しているが、これに限らず、照明装置としては、例えばヘッドランプ等の車両前照灯，フォグランプ等の補助前照灯，所謂ＡＦＳ（Ａｄａｐｔｉｖｅ  Ｆｒｏｎｔ−Ｌｉｇｈｔｉｎｇ  Ｓｙｓｔｅｍ）におけるベンディングランプ，後方駐車支援システム用車幅光源，側方車幅認識用光源等を含む車両用灯具や、スキャナ読取用光源，防犯用，ＦＡ（Ｆａｃｔｏｒｙ  Ａｕｔｏｍａｔｉｏｎ）用等の各種ラインセンサ用光源にも本発明を適用し得ることは明らかである。
【００６０】
このようにして、本発明によれば、簡単な構成により、小型の光源を使用して広い範囲に線状の照射パターンを形成するようにした、極めて優れた照明装置が提供されることになる。
【図面の簡単な説明】
【００６１】
【図１】本発明による照明装置の第一の実施形態の構成を示す正面図である。
【図２】図１の照明装置を示す平面図である。
【図３】図１の照明装置を示す斜視図である。
【図４】図１の照明装置を示す長手方向に沿う横断面図である。
【図５】図１の照明装置を示す幅方向に沿う縦断面図である。
【図６】図１の照明装置におけるレンズの両端の固定手段を示す拡大横断面図である。
【図７】図１の照明装置における（Ａ）光源からの光の照射状態を示す縦断面図，（Ｂ）照射パターン及び（Ｃ）長手方向の輝度分布を示す図である。
【図８】本発明による照明装置の第二の実施形態における（Ａ）光源からの光の照射状態を示す縦断面図，（Ｂ）照射パターン及び（Ｃ）長手方向の輝度分布を示す図である。
【図９】本発明による照明装置の第三の実施形態における遮光部材を示す平面図である。
【図１０】本発明による照明装置の第四の実施形態における遮光部材を示す平面図である。
【図１１】従来の照明装置の一例の構成を示す概略断面図である。
【図１２】図１１の照明装置における（Ａ）レンズに対する光の垂直入射状態，（Ｂ）このときの照射パターン及び（Ｃ）幅方向の輝度分布を示す図である。
【図１３】図１１の照明装置における（Ａ）レンズに対する光の斜め入射状態，（Ｂ）このときの照射パターン及び（Ｃ）幅方向の輝度分布を示す図である。
【図１４】図１１の照明装置における線状光源からの光の照射状態を示す縦断面図である。
【図１５】図１４の光照射状態における（Ａ）照射パターン及び（Ｂ）長手方向の輝度分布を示す図である。
【図１６】図１１の照明装置における線状光源からの光のレンズにおける全反射を示す縦断面図である。
【図１７】図１６の光照射状態における（Ａ）照射パターン及び（Ｂ）長手方向の輝度分布を示す図である。
【図１８】図１１の照明装置における点光源からの光の照射状態を示す縦断面図である。
【図１９】図１８の光照射状態における（Ａ）照射パターン及び（Ｂ）長手方向の輝度分布を示す図である。
【符号の説明】
【００６２】
１０    照明装置
１１    ハウジング
１１ａ  中空部
１２    光源
１２ａ  プリント基板
１２ｂ  ＬＥＤ（発光素子）
１３    遮光部材
１３ａ  スリット（開口）
１３ｂ  係合孔
１４    レンズ
１４ａ  フランジ部
１４ｂ  フック
１５ａ，１５ｂ，１５ｃ  固定ネジ
【図１】
2008177964.tif 000003
【図２】
2008177964.tif 000004
【図３】
2008177964.tif 000005
【図４】
2008177964.tif 000006
【図５】
2008177964.tif 000007
【図６】
2008177964.tif 000008
【図７】
2008177964.tif 000009
【図８】
2008177964.tif 000010
【図９】
2008177964.tif 000011
【図１０】
2008177964.tif 000012
【図１１】
2008177964.tif 000013
【図１２】
2008177964.tif 000014
【図１３】
2008177964.tif 000015
【図１４】
2008177964.tif 000016
【図１５】
2008177964.tif 000017
【図１６】
2008177964.tif 000018
【図１７】
2008177964.tif 000019
【図１８】
2008177964.tif 000020
【図１９】
2008177964.tif 000021